(57)【要約】【課題】  液滴吐出ヘッド支持部材の構造を簡単に、しかも、部品点数を削減した小型化が可能な液滴吐出ヘッド及び、液滴吐出ヘッドを備える液滴吐出装置を提供する。【解決手段】  液滴吐出ヘッド１の吐出室にノズル２１側から光を照射して、この吐出室から反射した反射光によって、液滴吐出ヘッド１のノズル２１内及びノズル２１近傍の異物の有無の検査をする検査装置２５０を採用することによって、液滴吐出ヘッド１の構造を簡単にすることができるので、液滴吐出ヘッド１の構成部品が少なくなり、液滴吐出ヘッド１を小型化できる。従って、この液滴吐出ヘッド１が搭載される液滴吐出装置１００を小型化できる。【選択図】      図１
2005225186.tif 000002
【特許請求の範囲】
【請求項１】
アクチュエータによって駆動する液滴吐出ヘッドのノズル内及びノズル近傍の異物検査をする液滴吐出ヘッドの検査方法であって、
前記ノズルから液滴として吐出される液体が収容される吐出室を備え、前記液滴吐出ヘッドに前記ノズル側から光を照射して前記吐出室の内壁面にて前記ノズルを通る経路に反射した反射光から得られる画像を通して、前記液滴吐出ヘッドのノズル内及びノズル近傍の異物検査をする異物検査工程を有することを特徴とする液滴吐出ヘッドの検査方法。
【請求項２】
請求項１に記載の液滴吐出ヘッドの検査方法において、
前記吐出室の内壁面には少なくとも前記光の反射する部分に反射膜が設けられていることを特徴とする液滴吐出ヘッドの検査方法。
【請求項３】
アクチュエータによって駆動する液滴吐出ヘッドのノズル内及びノズル近傍の異物検査をする液滴吐出ヘッドの検査方法であって、
前記アクチュエータを構成する振動板部を有する第１の基板と前記第１の基板と接合されて前記ノズルと吐出室とを形成する第２の基板とを備えた液滴吐出ヘッドに対し、前記第２の基板にその外側から光を照射した際に、その光を前記ノズルを通る経路で反射させることが可能な斜面部を前記吐出室の内壁面に設けておき、前記第２の基板の外側から前記斜面部を指向して光を照射するとともに、その照射した光が前記斜面部にて反射して前記ノズルを通る経路で出射した反射光から得られる画像を通して、前記液滴吐出ヘッドのノズル内及びノズル近傍の異物検査をする異物検査工程を有することを特徴とする液滴吐出ヘッドの検査方法。
【請求項４】
請求項１〜請求項３のいずれか一項に記載の液滴吐出ヘッドの検査方法において、
前記吐出室の内壁部分に設けられた斜面部に反射膜を設け、前記異物検査工程では、前記第２の基板の外側から照射した光を前記反射膜にて反射させることによって、前記液滴吐出ヘッドのノズル内及びノズル近傍の異物検査をすることを特徴とする液滴吐出ヘッドの検査方法。
【請求項５】
請求項１〜請求項４のいずれか一項に記載の液滴吐出ヘッドの検査方法において、
前記異物検査工程の前に、前記ノズル内及びノズル近傍の異物を除去する異物除去工程を有することを特徴とする液滴吐出ヘッドの検査方法。
【請求項６】
請求項５に記載の液滴吐出ヘッドの検査方法において、
前記異物除去工程では、レーザー光を照射して、前記ノズル内及びノズル近傍の異物を蒸散させることを特徴とする液滴吐出ヘッドの検査方法。
【請求項７】
請求項１〜請求項６のいずれか一項に記載の液滴吐出ヘッドの検査方法において、
前記液滴吐出ヘッドの前記光が照射される照射面を光沢低減処理面とし、前記液滴吐出ヘッドに前記光が照射された際に前記吐出室に至る透過光を相対的に増やすようにして、前記液滴吐出ヘッドのノズル内及びノズル近傍の異物検査をすることを特徴とする液滴吐出ヘッドの検査方法。
【請求項８】
請求項１〜請求項７のいずれか一項に記載の液滴吐出ヘッドの検査方法において、
前記異物検査工程は、前記ノズルを通る経路で出射した前記反射光から撮像部を介して画像を取得する画像取得工程と、前記取得した画像に画像認識処理を施して前記ノズル内及びノズル近傍の異物の有無を画像認識する画像認識工程と、前記画像認識した結果に基づき前記液滴吐出ヘッドの前記異物検査に係る良否判定を行う判定工程とを備えたことを特徴とする液滴吐出ヘッドの検査方法。
【請求項９】
請求項１〜請求項８のいずれか一項に記載の液滴吐出ヘッドの検査方法に用いられる液滴吐出ヘッドの検査装置において、
光源と、
前記光源からの光を前記吐出室の内壁面で反射した反射光がノズルを通過して出射するように液滴吐出ヘッドのノズル側から照射する光照射角調整部と、
前記反射光を通して、ノズルを観察するマイクロスコープと前記ノズルを撮像する撮像部との少なくとも一方と、
前記マイクロスコープ及び前記撮像部の一方と前記液滴吐出ヘッドとの少なくとも一方を移動させ、検査対象とする前記ノズルを変更すべく、前記マイクロスコープ及び前記撮像部の一方と前記液滴吐出ヘッドとの相対位置を変更させる移動部と、
前記撮像部によって撮像された画像を表示する表示部とを備えていることを特徴とする液滴吐出ヘッドの検査装置。
【請求項１０】
請求項１〜請求項８のいずれか一項に記載の液滴吐出ヘッドの検査方法に用いられる液滴吐出ヘッドの検査装置において、
光源と、
前記光源からの光を前記吐出室に設けられた斜面部で反射した反射光が前記ノズルを通過して出射するように液滴吐出ヘッドのノズル側から照射する光照射角調整部と、
前記ノズルを観察するマイクロスコープと前記ノズルを撮像する撮像部との少なくとも一方と、
前記マイクロスコープ及び前記撮像部の一方と前記液滴吐出ヘッドとの少なくとも一方を移動させ、検査対象とする前記ノズルを変更すべく、前記マイクロスコープ及び前記撮像部の一方と前記液滴吐出ヘッドとの相対位置を変更させる移動部と、
前記撮像部によって撮像されたノズル内及びノズル近傍の画像を表示する表示部とを備えていることを特徴とする液滴吐出ヘッドの検査装置。
【請求項１１】
請求項９又は請求項１０のいずれか一項に記載の液滴吐出ヘッドの検査装置において、
光源と、
少なくとも前記撮像部を備え、
前記撮像部によって撮像された画像に画像認識処理を施して、前記ノズル内及びノズル近傍の異物の有無を画像認識する画像認識処理部と、
前記画像認識処理部の認識結果に基づき、液滴吐出ヘッドの前記異物検査に係る良否判定を行う判定部とを備えていることを特徴とする液滴吐出ヘッドの検査装置。
【請求項１２】
請求項６に記載の液滴吐出ヘッドの検査方法に用いられる液滴吐出ヘッドの検査装置において、前記光源は異物を蒸散させることが可能なレーザー光を出射させるレーザー光源であることを特徴とする液滴吐出ヘッドの検査装置。
【請求項１３】
アクチュエータを構成する振動板部を有する第１の基板と、前記第１の基板と接合されてノズルと吐出室とを形成する第２の基板とを備えた液滴吐出ヘッドにおいて、前記第２の基板の外側から光を照射して、前記第２の基板の吐出室の内壁面で反射した反射光がノズル部を通過して出射するように、前記内壁面のうち少なくとも前記光が照射される部位に反射膜を備えたことを特徴とする液滴吐出ヘッド。
【請求項１４】
アクチュエータを構成する振動板部を有する第１の基板と、前記第１の基板と接合されてノズルと吐出室とを形成する第２の基板とを備えた液滴吐出ヘッドにおいて、前記吐出室の内壁部分に、前記第２の基板の外側から光を照射して、前記内壁面で反射した反射光がノズル部を通過して出射するように、当該前記内壁面に斜面部を設け、該斜面部に反射膜を備えていることを特徴とする液滴吐出ヘッド。
【請求項１５】
アクチュエータを構成する振動板部を有する第１の基板と前記第１の基板と接合されてノズルと吐出室とを形成する第２の基板とを備えた液滴吐出ヘッドにおいて、前記吐出室の内壁面に、前記第２の基板の外側から光を照射して、前記内壁面で反射した反射光がノズル部を通過して出射するように、当該内壁面に斜面部が設けられ、かつ、前記第２の基板がレーザー光を透過可能な材料からなることを特徴とする液滴吐出ヘッド。
【請求項１６】
アクチュエータを構成する振動板部を有する第１の基板と前記第１の基板と接合されてノズルと吐出室とを形成する第２の基板とを備えた液滴吐出ヘッドにおいて、前記吐出室の内壁面に、前記第２の基板の外側から光を照射して、前記内壁面で反射した反射光がノズル部を通過して出射するように、当該内壁面に斜面部が設けられ、かつ、前記第２の基板が光沢低減処理面を備えていることを特徴とする液滴吐出ヘッド。
【請求項１７】
アクチュエータを構成する振動板部を有する第１の基板と、前記第１の基板と接合されてノズルと吐出室とを形成する第２の基板とを備えた液滴吐出ヘッドにおいて、前記第２の基板の外側から光を照射して、前記吐出室の内壁面で反射した反射光がノズル部を通過して出射するように、前記吐出室の内壁部分に設けられた斜面部に、反射膜を備え、かつ、前記第２の基板がレーザー光を透過可能な材料からなることを特徴とする液滴吐出ヘッド。
【請求項１８】
請求項１３〜請求項１５及び請求項１７のいずれか一項に記載の液滴吐出ヘッドにおいて、前記第２の基板が光の透過光を増やすことが可能な光沢低減処理面を備えていることを特徴とする液滴吐出ヘッド。
【請求項１９】
請求項１３〜請求項１８のいずれか一項に記載の液滴吐出ヘッドを備えた液滴吐出装置。
【発明の詳細な説明】
【技術分野】
【０００１】
本発明は、液滴吐出装置の液滴吐出ヘッドの検査方法に関するものである。更に詳しくは、ノズル内の異物有無の検出が可能な検査方法、検査装置、及び液滴吐出ヘッドの構造、並びに液滴吐出ヘッドを備える液滴吐出装置に関するものである。
【背景技術】
【０００２】
近年、液滴吐出装置の液滴吐出ヘッドは液滴を発生（吐出）させるためのメカニズムに応じて各種の方式のものが知られている。例えば、ヒータを加熱して液体を沸騰させ、それによって生じる気泡圧で液滴を吐出する形式の液滴吐出ヘッドがある。また、液体を貯留した圧力室に貼り付けられた圧電素子に電圧を印加することにより圧力室の容積を膨張および収縮させて、液滴を吐出する形式の液滴吐出ヘッドがある。さらに、静電気力を利用して液体を貯留した圧力室の容積を変化させて、液滴の吐出を行う形式のものもある。いずれの形式の液滴吐出ヘッドにおいても、圧力室の圧力変動を利用して記録に必要なときにのみ液滴を吐出させるようになっている。
【０００３】
これらの形式の液滴吐出ヘッドは、一般的に、複数のノズルのそれぞれに対応して配置され、圧力変動によって対応するノズルから液滴を吐出させる圧力室と、各圧力室に液体を供給するリザーバと、各圧力室に前記リザーバに連通させている液体供給口とを有している。圧力室、リザーバ、および液体供給口は、平板状の基板を重ね合わせることにより、それらの基板間に平面方向に配列された状態に区画形成される液滴吐出ヘッドの構成が知られている。
【０００４】
液滴吐出ヘッドは、その製造過程においてノズル内に異物が入ることがあった。液滴吐出ヘッドのノズル内に異物が入ることが原因で、液滴の飛行曲がりや適量吐出されないといった不具合が発生していた。このため、液滴吐出ヘッドのノズル内及びノズル近傍の異物の有無の検査が必要となり、ここでは、液滴吐出ヘッドにインク（以下、吐出液をインクとして記載）を充填する前に、ノズル内及びノズル近傍の異物の有無の検査を行なっていた。具体的に、この検査方法は、液滴吐出ヘッドの支持部材側からノズル部に光（この場合、赤外光）を照射して、透過により液滴吐出ヘッドのノズル内及びノズル近傍の異物の有無を検出していた。
【０００５】
ここで、具体的には液滴吐出ヘッドの主な支持部材は、液滴吐出ヘッドにインクを供給するためのインク流路接続部材とヘッドケースとの構成であった。このインク流路接続部材は赤外光が透過しやすいように透明樹脂の部材で形成されていて、インク液滴の吐出側とは反対側に配置されていた。また、ヘッドケースは透明部材ではないものの、この赤外光を透過させやすいように長穴（窓）がノズル周辺部に設けられていた。
【０００６】
つまり、この液滴吐出ヘッドの支持部材の構成によれば、ノズル内及びノズル近傍の異物の有無を検査する時には、液滴吐出ヘッドの液滴の吐出側とは反対側から赤外光を照射して、この赤外光が透明なインク流路接続部材を通過して、さらに、赤外光がヘッドケースに設けられた長穴を通過し、液滴吐出ヘッドのノズル近傍に位置する異物に赤外光が照射されて、この照射された光の強度によって（明・暗）異物の有無を検出する方法であった（例えば、特許文献１参照）。
【０００７】
【特許文献１】特開２００２−２０５３８２号公報
【発明の開示】
【発明が解決しようとする課題】
【０００８】
ところが、この検査方法は液滴吐出ヘッドの吐出側とは反対側から赤外光を照射することによって、異物の有無を検査するので、インク流路接続部材には赤外光を透過する材料を使用する必要があった。このため、インク流路接続部材が透明材料でなければならないので、材料選定に制約があった。しかも、ヘッドケースにこのインク流路接続部材を組み立てる構成になっていたので、構造が簡単にならないという問題と、部品点数を減らせないという不具合があった。つまり、液滴吐出ヘッド支持部材の構造が複雑で、しかも部品点数が多いために、液滴吐出ヘッドが小型化できないという問題があった。さらに、ヘッドケースにインク流路接続部材を組み立てた時に、ヘッドケースとインク流路接続部材との嵌合部分に隙間があるので、この隙間にインクがしみ込む場合があって、この隙間からしみ出したインクの影響で、回路を構成する電気的接続用の基板や、液滴吐出ヘッドを動作させるためのヘッド部材用のフレキシブル基板にインクが付着して、基板をショートさせてしまう恐れがあった。
【０００９】
本発明の目的は、上記課題を解決して、液滴吐出ヘッドのノズル内及びノズル近傍の異物の有無を検出する検査方法、検査装置、及び小型化が可能な液滴吐出ヘッド、並びに液滴吐出ヘッドを備える液滴吐出装置を提供することである。
【課題を解決するための手段】
【００１０】
本発明の液滴吐出ヘッドの検査方法は、アクチュエータによって駆動する液滴吐出ヘッドのノズル内及びノズル近傍の異物検査をする液滴吐出ヘッドの検査方法であって、前記ノズルから液滴として吐出される液体が収容される吐出室を備え、前記液滴吐出ヘッドに前記ノズル側から光を照射して前記吐出室の内壁面にて前記ノズルを通る経路に反射した反射光から得られる画像を通して、前記液滴吐出ヘッドのノズル内及びノズル近傍の異物検査をする異物検査工程を有することを特徴とする。
【００１１】
この発明によれば、光の入射する側がノズル側になるので、インク流路接続部材を透明にしなくても良くなり、しかもヘッドケースとインク流路接続部材とが一体化できる構造になるので、液滴吐出ヘッドの支持構造が簡単になる。従って、液滴吐出ヘッドの小型化が実現できる。しかも、ヘッドケースとインク流路接続部材とが一体化できることで、部品間の隙間が無くなり、インク漏れによって生じる回路基板や、ヘッド部材用のフレキシブル基板のショートの恐れも無くなる。また、ヘッドケースに設けられた光通過用の長穴が不要になる。
【００１２】
本発明の液滴吐出ヘッドの検査方法は、前記吐出室の内壁面には少なくとも前記光の反射する部分に反射膜が設けられていることが望ましい。
【００１３】
この発明によれば、吐出室の内壁面の光の反射率が向上することによって、反射光量が多くなり（検査感度が高くなり）、ノズル内及びノズル近傍の異物の有無を容易に検出することができるので、検出精度が向上する。
【００１４】
本発明の液滴吐出ヘッドの検査方法は、アクチュエータによって駆動する液滴吐出ヘッドのノズル内及びノズル近傍の異物検査をする液滴吐出ヘッドの検査方法であって、前記アクチュエータを構成する振動板部を有する第１の基板と前記第１の基板と接合されて前記ノズルと吐出室とを形成する第２の基板とを備えた液滴吐出ヘッドに対し、前記第２の基板にその外側から光を照射した際に、その光を前記ノズルを通る経路で反射させることが可能な斜面部を前記吐出室の内壁面に設けておき、前記第２の基板の外側から前記斜面部を指向して光を照射するとともに、その照射した光が前記斜面部にて反射して前記ノズルを通る経路で出射した反射光から得られる画像を通して、前記液滴吐出ヘッドのノズル内及びノズル近傍の異物検査をする異物検査工程を有することを特徴とする。
【００１５】
この発明によれば、吐出室の斜面部の光の反射率が向上することによって、反射光量が多くなり（検査感度が高くなり）、ノズル内及びノズル近傍の異物の有無を容易に検出することができるので、より検出精度が向上する。
【００１６】
本発明の液滴吐出ヘッドの検査方法は、前記吐出室の内壁部分に設けられた斜面部に反射膜を設け、前記異物検査工程では、前記第２の基板の外側から照射した光を前記反射膜にて反射させることによって、前記液滴吐出ヘッドのノズル内及びノズル近傍の異物検査をすることが望ましい。
【００１７】
この発明によれば、吐出室の斜面部の光の反射率がより向上することによって、反射光量が多くなり（検査感度が高くなり）、ノズル内及びノズル近傍の異物の有無を容易に検出することができるので、より検出精度が向上する。
【００１８】
本発明の液滴吐出ヘッドの検査方法は、前記異物検査工程の前に、前記ノズル内及びノズル近傍の異物を除去する異物除去工程を有することが望ましい。
【００１９】
この発明によれば、ノズル内及びノズル近傍の異物の有無を検査する前に異物を除去することができるので、液滴吐出ヘッドの良品率が向上する。
【００２０】
本発明の液滴吐出ヘッドの検査方法は、前記異物除去工程で、レーザー光を照射して、前記ノズル内及びノズル近傍の異物を蒸散させることが望ましい。
【００２１】
この発明によれば、ノズル内及びノズル近傍の異物の有無を検査する前に異物を確実に除去することができるので、液滴吐出ヘッドの良品率がより向上する。
【００２２】
本発明の液滴吐出ヘッドの検査方法は、前記液滴吐出ヘッドの前記光が照射される照射面を光沢低減処理面とし、前記液滴吐出ヘッドに前記光が照射された際に前記吐出室に至る透過光を相対的に増やすようにして、前記液滴吐出ヘッドのノズル内及びノズル近傍の異物検査をすることを特徴とする。
【００２３】
この発明によれば、光の透過量が多くなるので、ノズル内及びノズル近傍の異物の有無の検出感度が高まり、検出精度が向上する。
【００２４】
本発明の液滴吐出ヘッドの検査方法は、前記ノズルを通る経路で出射した前記反射光から撮像部を介して画像を取得する画像取得工程と、前記取得した画像に画像認識処理を施して前記ノズル内及びノズル近傍の異物の有無を画像認識する画像認識工程と、前記画像認識した結果に基づき前記液滴吐出ヘッドの前記異物検査に係る良否判定を行う判定工程とを備えたことを特徴とする。
【００２５】
この発明によれば、ノズル内及びノズル近傍の異物の有無の検査を正確に行うことができると同時に、良否判定が確実にできる。
【００２６】
本発明の液滴吐出ヘッドの検査装置は、
光源と、前記光源からの光を前記吐出室の内壁面で反射した反射光がノズルを通過して出射するように液滴吐出ヘッドのノズル側から照射する光照射角調整部と、前記反射光を通して、ノズルを観察するマイクロスコープと前記ノズルを撮像する撮像部との少なくとも一方と、前記マイクロスコープ及び前記撮像部の一方と前記液滴吐出ヘッドとの少なくとも一方を移動させ、検査対象とする前記ノズルを変更すべく、前記マイクロスコープ及び前記撮像部の一方と前記液滴吐出ヘッドとの相対位置を変更させる移動部と、前記撮像部によって撮像された画像を表示する表示部とを備えていることを特徴とする。
【００２７】
この発明によれば、内壁面で反射した反射光がノズルを通過するので、ノズル内及びノズル近傍の異物の有無を容易に検出することが可能な検査装置を提供することができる。
【００２８】
本発明の液滴吐出ヘッドの検査装置は、
光源と、前記光源からの光を前記吐出室に設けられた斜面部で反射した反射光が前記ノズルを通過して出射するように液滴吐出ヘッドのノズル側から照射する光照射角調整部と、前記ノズルを観察するマイクロスコープと前記ノズルを撮像する撮像部との少なくとも一方と、前記マイクロスコープ及び前記撮像部の一方と前記液滴吐出ヘッドとの少なくとも一方を移動させ、検査対象とする前記ノズルを変更すべく、前記マイクロスコープ及び前記撮像部の一方と前記液滴吐出ヘッドとの相対位置を変更させる移動部と、前記撮像部によって撮像されたノズル内及びノズル近傍の異物を表示する表示部とを備えていることを特徴とする。
【００２９】
この発明によれば、斜面部で反射したより多くの反射光がノズルを通過し、検出感度がより向上するので、ノズル内及びノズル近傍の異物の有無をより容易に検出することが可能な検査装置を提供することができる。
【００３０】
本発明の液滴吐出ヘッドの検査装置は、
光源と、少なくとも前記撮像部を備え、前記撮像部によって撮像された画像に画像認識処理を施して、前記ノズル内及びノズル近傍の異物の有無を画像認識する画像認識処理部と、前記画像認識処理部の認識結果に基づき、液滴吐出ヘッドの前記異物検査に係る良否判定を行う判定部とを備えていることを特徴とする。
【００３１】
この発明によれば、ノズル内及びノズル近傍の異物の有無を自動的に検出することと、良否判定とが可能な検査装置を提供することができる。
【００３２】
本発明の液滴吐出ヘッドの検査装置は、異物を蒸散することが可能なレーザー光を出射させるレーザー光源を備えていることが望ましい。
【００３３】
この発明によれば、ノズル内及びノズル近傍の異物を蒸散させて異物を除去するのと、異物の有無の検査とを兼ね備えて行なうことが可能な検査装置を提供することができる。
【００３４】
本発明の液滴吐出ヘッドは、アクチュエータを構成する振動板部を有する第１の基板と、前記第１の基板と接合されてノズルと吐出室とを形成する第２の基板とを備えた液滴吐出ヘッドにおいて、前記第２の基板の外側から光を照射して、前記第２の基板の吐出室の内壁面で反射した反射光がノズル部を通過して出射するように、前記内壁面のうち少なくとも前記光が照射される部位に反射膜を備えたことを特徴とする。
【００３５】
この発明によれば、吐出室の光の反射率が向上することによって、反射光量が多くなり（検査感度が高くなり）、ノズル内及びノズル近傍の異物の有無を容易に検出することができるので、検出精度が向上する液滴吐出ヘッドを提供することができる。
【００３６】
本発明の液滴吐出ヘッドは、アクチュエータを構成する振動板部を有する第１の基板と、前記第１の基板と接合されてノズルと吐出室とを形成する第２の基板とを備えた液滴吐出ヘッドにおいて、前記吐出室の内壁部分に、前記第２の基板の外側から光を照射して、前記内壁面で反射した反射光がノズル部を通過して出射するように、当該前記内壁面に斜面部を設け、該斜面部に反射膜を備えていることを特徴とする。
【００３７】
この発明によれば、斜面部からの光の反射率が向上することによって、反射光がノズル内及びノズル近傍の異物の有無を検出する際の、検出感度のより向上した液滴吐出ヘッドを提供することができる。
【００３８】
本発明の液滴吐出ヘッドは、アクチュエータを構成する振動板部を有する第１の基板と前記第１の基板と接合されてノズルと吐出室とを形成する第２の基板とを備えた液滴吐出ヘッドにおいて、前記吐出室の内壁面に、前記第２の基板の外側から光を照射して、前記内壁面で反射した反射光がノズル部を通過して出射するように、当該内壁面に斜面部が設けられ、かつ、前記第２の基板がレーザー光を透過可能な材料からなることを特徴とする。
【００３９】
この発明によれば、レーザー光を照射することによって、ノズル内及びノズル近傍の異物を蒸散させて異物を除去するのと、異物の有無の検査とを兼ね備えて行なうことが可能な液滴吐出ヘッドを提供することができる。
【００４０】
本発明の液滴吐出ヘッドは、アクチュエータを構成する振動板部を有する第１の基板と前記第１の基板と接合されてノズルと吐出室とを形成する第２の基板とを備えた液滴吐出ヘッドにおいて、前記吐出室の内壁面に、前記第２の基板の外側から光を照射して、前記内壁面で反射した反射光がノズル部を通過して出射するように、当該内壁面に斜面部が設けられ、かつ、前記第２の基板が光沢低減処理面を備えていることを特徴とする。
【００４１】
この発明によれば、光が第２の基板に入射する時に、前記第２の基板表面での光の反射を抑えることができるので、光の透過量が多くなることによって、ノズル内及びノズル近傍の異物の有無の検出感度が高まり、検出精度が向上することが可能な液滴吐出ヘッドを提供することができる。
【００４２】
本発明の液滴吐出ヘッドは、アクチュエータを構成する振動板部を有する第１の基板と、前記第１の基板と接合されてノズルと吐出室とを形成する第２の基板とを備えた液滴吐出ヘッドにおいて、前記第２の基板の外側から光を照射して、前記吐出室の内壁面で反射した反射光がノズル部を通過して出射するように、前記吐出室の内壁部分に設けられた斜面部に、反射膜を備え、かつ、前記第２の基板がレーザー光を透過可能な材料からなることを特徴とする。
【００４３】
この発明によれば、ノズル内及びノズル近傍の異物の有無の検出感度が高く、しかも、ノズル内の異物を蒸散させて異物を除去することを兼ね備えて行なうことが可能な液滴吐出ヘッドを提供することができる。
【００４４】
本発明の液滴吐出ヘッドは、前記第２の基板が光の透過光を増やすことが可能な光沢低減処理面を備えていることが望ましい。
【００４５】
この発明によれば、光が第２の基板に入射する時に、前記第２の基板表面での光の反射を抑えることができるので、光の透過量が多くなることによって、ノズル内及びノズル近傍の異物の有無の検出感度が高まり、検出精度が向上することが可能な液滴吐出ヘッドを提供することができる。
【００４６】
本発明の液滴吐出装置は、前述の液滴吐出ヘッドを備えた液滴吐出装置であることが望ましい。
【００４７】
この発明によれば、液滴吐出装置は前述の液滴吐出ヘッドを備えているので、小型化が可能な液滴吐出装置を提供できる。
【発明を実施するための最良の形態】
【００４８】
以下、本発明の液滴吐出ヘッドの検査方法、液滴吐出ヘッドの検査装置、及び液滴吐出ヘッド、並びに液滴吐出ヘッドを備える液滴吐出装置について実施形態を挙げ、添付図面に沿って詳細に説明する。
【実施例１】
【００４９】
図１は本発明の第１実施形態としてのインク供給路接続ユニットを含む液滴吐出ヘッドの断面図である。また、図２はインク供給路接続ユニットをノズル方向から見た平面図である。
【００５０】
図１及び図２に示すように、液滴吐出ヘッド１は、インク液滴２３を基板の上面に設けたノズル２１から吐出させるフェイスインクジェットタイプであり、静電駆動方式のものである。液滴吐出ヘッド１は、ノズルプレート（第２の基板）４、キャビティプレート（第１の基板）３、ガラス基板２が、この順序で重ね合された積層構造をしている。
【００５１】
キャビティプレート３は、例えばシリコン基板であり、図１に示すように、このキャビティプレート３の表面には底壁が振動板５として機能する圧力室６を構成することになる凹部７が形成されている。
【００５２】
この凹部７の後部に設けられたインク供給口８を構成することになる細溝９と、各々の圧力室６にインクを供給するためのインクリザーバ１０を構成することになる凹部１１とがエッチングによって形成されている。このキャビティプレート３の下面は鏡面研磨によって平滑化されており、ガラス基板２に対する取付け部とされている。
【００５３】
図１及び図２に示すように、このキャビティプレート３の上面（溝形成側の基板表面）に接合されるノズルプレート４において、圧力室６の上面を規定する壁部分には各圧力室６に連通する複数のノズル２１が形成されている。この複数のノズル２１から液滴２３が吐出されることになる。
【００５４】
このノズルプレート４およびキャビティプレート３を相互に重ね合わせることにより、ノズルプレート４とキャビティプレート３との間に、圧力室６、インク供給口８、およびインクリザーバ１０とが区画形成される。ここで、この区画形成された圧力室６とインク供給口８とインクリザーバ１０とで構成された部分を吐出室という。
【００５５】
キャビティプレート３とガラス基板２及びヘッドケース５０の構成において、キャビティプレート３のインクリザーバ１０の底面に対応する壁部分にはインク取り入れ口３１が形成されている。このインク取り入れ口３１はインクリザーバ１０とガラス基板２とヘッドケース５０とを連通していて、接続パイプ（図示せず）が接続されている。この接続パイプはチューブ（図示せず）を介してインクタンク１０１（図６を参照）のインク供給源に接続されている。このインクタンク１０１からインク取り入れ口３１を介してインクリザーバ１０にインクが供給可能となっている。
【００５６】
ガラス基板２において、各々の振動板５に対峙する部分には、振動室１２を構成することになる凹部１３が形成されている。この凹部１３の底面には、振動板５に対峙する個別電極１４が配置されている。
【００５７】
ヘッドケース５０には、接着剤注入口５１と、注入管５２とが設けられており、接着剤溝５３には、注入管５２を介して、接着剤注入口５１から、例えば、注射針が装着されたディスペンサーを用いて、接着剤が注入・充填される。このことにより、液滴吐出ヘッド１がヘッドケース５０に固着される。
【００５８】
また、ヘッドケース５０の開口部の内側には液滴吐出ヘッド１を挟み込むための爪５５が設けられており、液滴吐出ヘッド１の挿入の際に、ヘッドケース５０に対して液滴吐出ヘッド１の位置を決め、液滴吐出ヘッド１をヘッドケース５０の内部に支持する機能を有している。
【００５９】
ここで、図１に示すように、光源２０３が第２の基板であるノズルプレート４の外側から光（赤外光）を照射して、この照射光が第２の基板を透過して、第１の基板であるキャビティプレート３に設けられた圧力室６の斜面部で反射して反射光が生じ、この反射光が第２の基板であるノズルプレート４のノズル２１を通過して外部へ出射する構成になっている。また、光源２０３はノズルプレート４の表面に対して約３０度の傾きを設けて保持された構成になっている。
【００６０】
光源２０３から複数ノズル含むよう光を照射させるため、図２に示すように、この出射光が液滴吐出ヘッド１のノズル２１を複数個含むように、出射範囲６３に出射される。
【００６１】
図３は本実施形態の検査装置２５０の構成を示す概略図である。ここで、液滴吐出ヘッド１はステージ上に搭載されており、このステージはＸ、Ｙ、Ｚ方向に移動可能な機能を有している。
【００６２】
これらの各ステージはＸ方向移動用としてのＸステージ２０７、Ｙ方向移動用としてのＹステージ２０９、Ｚ方向移動用としてのＺステージ２１１の構成となっている。ここで、Ｘステージ２０７はＸ方向に移動可能なＸアクチュエータ２０６を有し、Ｙステージ２０９はＹ方向に移動可能なＹアクチュエータ２０８を有し、Ｚステージ２１１はＺ方向に移動可能なＺアクチュエータ２１０を有した構成となっている。
【００６３】
図３に示すように、光源２０３（この場合、２箇所）が光を照射する時に、液滴吐出ヘッド１に対して適度な傾斜角を保持できるように、角度調整部２０４を有した構成となっている（この場合、光源２０３が２つの構成であるので、２箇所）。
【００６４】
図３に示すように、液滴吐出ヘッド１のノズル２１内の異物の有無を作業者がＭＳ（赤外光マイクロスコープ）２０２を用いて確認できる構成になっている。この場合、作業者がＭＳ２０２を覗きこみながら、レンズ２００を通過した通過光による画像を確認する。この光量の違いによって、作業者がノズル２１内及びノズル２１近傍の異物の有無を判断できる構成になっている。
【００６５】
また、液滴吐出ヘッド１のノズル２１内及びノズル２１近傍の異物の有無を検査装置２５０が自動的に検査を行なう場合は、ＣＣＤカメラ２０５にてノズル２１内及びノズル２１近傍の異物の有無を画像撮影して、画像認識処理部２１５にて異物の画像認識処理を行ない、その結果を良否判定部２１６にて良否判定を行なう構成になっている。
【００６６】
また、ＣＣＤカメラ２０５がノズル２１内及びノズル２１近傍の異物を撮影した結果を表示部２１２に表示する構成になっている。
【００６７】
また、ＰＣ（パーソナルコンピュータ）２１４は、図３に示すように、制御部２０１を有し、Ｘアクチュエータ２０６、Ｙアクチュエータ２０８、Ｚアクチュエータ２１０の駆動制御と、光源２０３、角度調整部２０４、ＣＣＤカメラ２０５、画像認識処理部２１５、良否判定部２１６、表示部２１２の制御を行なう構成になっている。
【００６８】
図４は本実施形態の検査装置２５０の検査工程を示すフローチャートである。図４に示すように、検査装置２５０が液滴吐出ヘッド１の検査を開始することによって、検査が自動的にスタートされる構成になっている。
【００６９】
次に、Ｓ１１は光源２０３に外部（図示せず）から通電をされて、液滴吐出ヘッド１に対して光が照射される工程になる。
【００７０】
次に、Ｓ１２は液滴吐出ヘッド１がレンズ２００に対して適正な位置にくるように各ステージのＸＹＺ方向の位置決めを行なう位置調整工程になる。
【００７１】
次に、Ｓ１３は液滴吐出ヘッド１に対して光源２０３の傾斜角を適度な角度になるように光入射角を調整する光入射角度調整を行なう工程になる。
【００７２】
次に、Ｓ１４はＣＣＤカメラを用いて液滴吐出ヘッド１のノズル２１内の撮像を行なう工程になる。
【００７３】
次に、Ｓ１５はこのＣＣＤカメラによってノズル２１内を撮像した結果を画像認識処理する工程になる。
【００７４】
次に、Ｓ１６はこのノズル２１内及びノズル２１近傍を画像認識処理した結果を基にして、検査ノズルの良否判定を行なう工程になる。
【００７５】
ここで、検査ノズルが良品であれば、次に検査するノズルに移るため、Ｓ１２〜Ｓ１６のステップに再度入る（Ｓ１６１）。全てのノズルの検査が終了するまで、前記Ｓ１２〜Ｓ１６へのループに入る。そして、液滴吐出ヘッド１内の全てのノズルにおいて検査が終了し、液滴吐出ヘッド１が良品であれば、Ｓ１６３ではＯＫの表示をする工程になり、逆に不良ノズルが一つでも検出された場合には、不良検出時にＳ１６２においてＮＧの表示を行なう工程になる。このように、検査装置２５０が検査を終了するとエンドを最後に表示する工程になり、液滴吐出ヘッド１の検査が自動的に終了する構成になっている。
【００７６】
図５はインク供給路接続ユニットを含む液滴吐出ヘッド１の断面図で、図５（ａ）は従来技術によるところの液滴吐出ヘッド１の断面図であって、図５（ｂ）は本実施形態の液滴吐出ヘッド１の断面図である。
【００７７】
図５（ａ）に示すように、従来技術は、光源２０３がヘッド支持構造部の裏側から光が照射される構成になっている。液滴吐出ヘッド１のノズル２１内の異物の有無を検査する時には、光源２０３からの照射光が赤外透過部材を通過し、ガラス基板２とキャビティプレート３とを透過して、ノズルプレート４のノズル２１を通過する構成になっている。
【００７８】
この従来技術に対して、本実施形態は図５（ｂ）に示すように、光源２０３がノズルプレート４の外側から照射される構成になっている。しかも、光源２０３は斜めに傾いた位置に配置されているので、この照射光はノズルプレート４に対して斜めに照射される。この斜めに照射された光はキャビティプレート３の圧力室６の斜面部で反射して反射光が生じ、この反射光がノズルプレート４のノズル２１を通過する構成になっている。
【００７９】
図６は本実施形態の液滴吐出ヘッド１を搭載した液滴吐出装置１００（インクジェットプリンタ）の構成例を示す概略斜視図である。液滴吐出装置１００は、インクタンク１０１、キャリッジ１０２、プラテン１０３、記録紙１０４等を備えた構成になっていて、液滴吐出ヘッド１はキャリッジ１０２に搭載されている。
【００８０】
本実施形態におけるインク供給路接続ユニットを含む液滴吐出ヘッド１、及び検査装置２５０、並びに液滴吐出装置１００の構成は以上のようであって、図１〜図６を参照しながら、液滴吐出ヘッド１のノズル２１内及びノズル２１近傍の異物有無の検査を行なう時の検査方法について説明する。
【００８１】
図６に示すように、液滴吐出装置１００は、プラテン１０３により記録紙１０４を搬送させつつ、キャリッジ１０２を移動させて、記録紙１０４と液滴吐出ヘッド１との相対位置を制御しながら、インクをインクタンク１０１から供給して、液滴吐出ヘッド１からインク液滴２３を吐出させることにより、任意の文字や画像を記録紙１０４に印刷する。
【００８２】
図１に示すように、光源２０３から出射された光がノズルプレート４に対して出射される。この出射光が第２の基板であるノズルプレート４を透過して、第１の基板であるキャビティプレート３に照射される。
【００８３】
ここで、圧力室６の斜面部はキャビティプレート３の表面に対して（１１１）結晶面を形成している。光源２０３から出射された光がノズルプレート４を透過して、キャビティプレート３に設けられた圧力室６の斜面部の（１１１）結晶面に対して照射される。
【００８４】
この照射光がキャビティプレート３に設けられた圧力室６の斜面部で反射して、この反射した反射光が第２の基板であるノズルプレート４のノズル２１を通過して外部へ出射される。
【００８５】
図２に示すように、光源からの照射光は複数個のノズルを含める範囲で出射されるため、ノズルプレート４のノズル２１を通過して外部へ出射された出射光は、液滴吐出ヘッド１のノズル２１を複数個含むように、出射範囲６３に出射される。
【００８６】
図３及び図４に示すように、液滴吐出ヘッド１は液滴吐出ヘッド検査装置２５０のＸステージ、Ｙステージ、Ｚステージ上に搭載されている。ここで、液滴吐出ヘッド検査装置２５０のスタートが始まると、液滴吐出ヘッド１内のノズル２１内及びノズル２１近傍の異物の検査が自動的に開始される。Ｓ１１の工程では、光源２０３からの光が液滴吐出ヘッド１のノズルプレート４に対して照射される。
【００８７】
次に、Ｓ１２の工程では、液滴吐出ヘッド１の検査開始ノズル位置に来るように、Ｘ、Ｙ、Ｚの各ステージを移動させてノズル２１と光源２０３との位置をあわせる。これらＸ、Ｙ、Ｚの各ステージを移動させる時には、各々のステージに対応するＸ、Ｙ、Ｚの各アクチュエータを作動させる。
【００８８】
次に、Ｓ１３の工程では、液滴吐出ヘッド１のノズル２１の中がより観察しやすくなるように、光源２０３の傾斜角を調整する。この光源２０３の傾斜角を液滴吐出ヘッド１のノズル２１に合わせる時には、角度調整部２０４を作動させる。このようにして、ノズルプレート４に照射された光は、キャビティプレート３の圧力室６の斜面部で反射して、この反射光がノズル２１を通過する。
【００８９】
次に、Ｓ１４の工程では、レンズ２００を介して通過した反射光をＣＣＤカメラ２０５を用いて、液滴吐出ヘッド１のノズル２１の中を撮像する。この時、ノズル２１を通過した反射光の強度（明・暗）によって異物の有無を検出することができる。
【００９０】
次に、Ｓ１５の工程では、このノズル２１の中を撮像した結果を画像認識処理部２１５にて画像認識処理を行なう。この画像認識処理を行なうことにより、ノズル２１内及びノズル２１近傍の異物の大きさがわかる。
【００９１】
次に、Ｓ１６の工程では、この画像認識処理をした結果を基にして、液滴吐出ヘッド１のノズル２１内及びノズル２１近傍の異物の有無の良否判定を良否判定部２１６にて行なう。ここで、あらかじめ異物の無い状態を画像認識しておけば、ノズル２１内の異物の良否判定が自動的に行なわれる。
【００９２】
この良否判定の結果、検査ノズルが良品の場合は、都度前記Ｓ１２〜Ｓ１６へのループに入り、液滴吐出ヘッド１内の全てのノズルにおいて検査が終了し、液滴吐出ヘッド１が良品であれば、Ｓ１６３の工程でＯＫの表示を行ない、逆に一つでも不良ノズルが検出された場合には、不良検出時にＳ１６２の工程でＮＧの表示を行なう
【００９３】
以上述べたように、液滴吐出ヘッド１のノズル２１内及びノズル２１近傍の異物の有無の検査が、液滴吐出ヘッド検査装置２５０の一連の動作によって自動的に終了する。なお、前述では液滴吐出ヘッド１のノズル２１内及びノズル２１近傍の異物の有無の検査を自動的に行なうことによる事例を挙げたが、これ以外に、作業者がＭＳ２０２を使用して、検査を行なう方法も含まれるものである。また、図５（ａ）と（ｂ）には、従来技術と本実施形態を対比した図を示したが、動作説明については省略する。
【００９４】
以上のような第１実施形態では、次のような効果が得られる。
（１）光源２０３からの光の入射する側がノズルプレート４のノズル２１側になるので、液滴吐出ヘッド１の支持構造が簡単に構成できる。このことによって、液滴吐出ヘッド１の支持構造部材であるヘッドケース５０とインク流路接続部材６０とが一体化できる。従って、液滴吐出ヘッド１の小型化が実現できる。
（２）ヘッドケース５０とインク流路接続部材６０とが一体化になることで、部品間の隙間が無くなり、インクのシール性能が向上することによって、インク漏れによって生じる回路基板や、ヘッド部材用のフレキシブル基板のショートの恐れが防止できる。
（３）光源２０３からの光の入射する側がノズルプレート４のノズル２１側になるので、ヘッドケース５０に設けられた光通過用の穴６１が不要になる。
（４）ヘッドケース５０の材質が制限されず、安価な材料を選択することが可能となり、よりコストの低い液滴吐出ヘッド１を提供することができる。
【００９５】
従って、液滴吐出ヘッド１のノズル２１内及びノズル２１近傍の異物の有無を検査する方法を変更することによって、液滴吐出ヘッド１の小型化が実現できることになる。よって、より小型の液滴吐出装置を提供することができる。また、このような方式の検査方法と検査装置とを提供することができる。
【実施例２】
【００９６】
次に、本発明の第２実施形態を図面に基づいて説明する。
なお、前述の第１実施形態と同じ部品および同様な機能を有する部品には同一符号を付し、説明を省略する。
図７は、第２実施形態としての液滴吐出ヘッド１の一部を示す断面図である。
【００９７】
ここで、図７に示すように、ノズルプレート４が光沢低減処理面を備え、また、キャビティプレート３の圧力室６の斜面部に反射膜３００が設けられた構成になっているのが第１実施形態と大きく異なる点である。
【００９８】
ノズルプレート４は、例えばシリコン基板であり、このノズルプレート４はシリコン基板表面の光の反射光を低減させるようにつや消し状態の面を備えている。このつや消し状態の面を光沢低減処理面（少なくとも鏡面状態ではない面を指す）と呼び、この光沢低減処理面を確保するために、ノズルプレート４の表面はブライトエッチングが施されている。
【００９９】
キャビティプレート３は、例えばシリコン基板であり、このキャビティプレート３には反射膜３００が圧力室６の斜面部に設けられており、この反射膜３００は金、銀、アルミニウム、銅、ルジウムなどの光の反射率の高い金属材料を採用しており、この反射膜３００は圧力室６の斜面部に約１００ナノメートルの厚さで形成されている。この反射膜３００は、蒸着、スパッタリングなどの薄膜形成技術を採用して形成されている。
【０１００】
本発明の第２実施形態における液滴吐出ヘッド１の構成は以上のようであって、図７を参照しながら、液滴吐出ヘッド１のノズル２１内及びノズル２１近傍の異物有無の検査を行なう時の検査方法について説明する。
【０１０１】
光源２０３から照射された光が光沢低減処理面を備えたノズルプレート４の外側から照射されて、この照射光がノズルプレート４を透過して、この透過光がキャビティプレート３の圧力室６の斜面部に設けられた反射膜３００に照射される。この照射された光が反射膜３００で反射して反射光が生じ、この反射光がノズル２１を通過する。
【０１０２】
この反射光がノズル２１を通過する時に、液滴吐出ヘッド１のノズル２１内及びノズル２１近傍に有する異物の有無を検査する。
【０１０３】
以上のような第２実施形態では、第１実施形態で得られた効果以外に、次のような効果が得られる。
（５）キャビティプレート３の圧力室６の斜面部に反射膜３００を設けたことで、光の反射率が向上して、ノズル２１内及びノズル２１近傍の異物の有無の検査感度が高まり、検出精度が向上する検査方法と液滴吐出ヘッド１とを提供することができる。
（６）ノズルプレート４のシリコン基板表面上に、ブライトエッチングが施された光沢低減処理面を備えたことによって、ノズルプレート４の表面からの反射光が減少して、ノズル２１内及びノズル２１近傍の異物の有無の検査感度が高まり、検出精度が向上する検査方法と液滴吐出ヘッド１とを提供することができる。
【実施例３】
【０１０４】
次に、本発明の第３実施形態を図面に基づいて説明する。
なお、前述の第１実施形態、第２実施形態と同じ部品および同様な機能を有する部品には同一符号を付し、説明を省略する。
【０１０５】
図８は、第３実施形態としての液滴吐出ヘッド１の一部を示す断面図である。
【０１０６】
ここで、図８に示すように、本実施形態は、光源２０３にレーザー光を備えていることが第１実施形態、第２実施形態と大きく異なる点である。
【０１０７】
ノズルプレート４は、例えばガラス基板であり、基板表面には第２実施形態と同様に、ブライトエッチングが施されている光沢低減処理面を有している。
【０１０８】
キャビティプレート３は、例えばシリコン基板であり、このキャビティプレート３には第２実施形態及び第３実施形態と同様に、反射膜３００が圧力室６の斜面部に設けられている。
【０１０９】
本発明の第３実施形態における液滴吐出ヘッド１の構成は以上のようであって、図８を参照しながら、液滴吐出ヘッド１のノズル２１内及びノズル２１近傍の異物有無の検査を行なう時の検査方法について説明する。
【０１１０】
光源２０３から照射された光が光沢低減処理面を備えたノズルプレート４の外側から照射されて、このノズルプレート４を透過する。この透過光がキャビティプレート３の圧力室６の斜面部に設けられた反射膜３００に照射される。この照射された光が反射膜３００で反射して反射光が生じ、この反射光がノズル２１を通過する。この時、この光源２０３にレーザー光を用いる。
【０１１１】
この反射光がノズル２１を通過する時に、液滴吐出ヘッド１のノズル２１内及びノズル２１近傍に有する異物の有無を検査し、同時に、この反射光がノズル２１内及びノズル２１近傍に有する異物を除去しながらノズル２１を通過する。
【０１１２】
以上のような第３実施形態では、第１実施形態、第２実施形態で得られた効果以外に、次のような効果が得られる。
【０１１３】
（７）光源２０３にレーザー光を採用したので、このレーザー光によって、液滴吐出ヘッド１のノズル２１内及びノズル２１近傍の異物の有無の検査と異物の除去とができる。このことによって、液滴吐出ヘッド１の製造工程においてノズル２１内及びノズル２１近傍に異物が介在していても、このノズル２１内及びノズル２１近傍の異物をレーザー光を照射することによって、確実に除去できることになり、液滴吐出ヘッド１の良品率がより一層向上する。従って、ノズル２１内及びノズル２１近傍に異物が存在しにくい液滴吐出ヘッド１を確実に提供することができる。また、このような方式の検査方法と液滴吐出ヘッド１と検査装置２５０とを提供することができる。
【０１１４】
なお、本発明は前述の実施形態に限定されるものではなく、本発明の目的を達成できる範囲での変形、改良等は本発明に含まれるものである。以下に変形例を示す。
【０１１５】
（変形例１）
第１実施形態で、光源２０３から光をノズルプレート４を透過して、キャビティプレート３の圧力室６の斜面部に照射して、液滴吐出ヘッド１のノズル２１内及びノズル２１近傍の異物の有無を検査したが、本発明はこれにこだわるものではない。例えば、液滴吐出ヘッド１の吐出室を構成するキャビティプレート３の圧力室６の別な斜面部とインクリザーバ１０との斜面部の少なくとも一方に、光源２０３からの光を照射するように光源２０３を配置してもよい。
【０１１６】
このようにすれば、反射光が液滴吐出ヘッド１のノズル２１を通過可能な位置に光源２０３を配置することになるので、液滴吐出ヘッド１に設けられたノズル２１の位置を自由に変更することができることになり、別な型式の液滴吐出ヘッド１のノズル２１内及びノズル２１近傍の異物の有無を検査することができる。とともに、このような型式の液滴吐出ヘッド１を提供することができる。
【０１１７】
（変形例２）
また、第２実施形態で、キャビティプレート３の圧力室６の斜面部に、金、銀、アルミニウム、銅、ルジウムなどの金属薄膜を形成して反射膜３００を設けたが、本発明はこれにこだわるものではない。例えば、この圧力室６の斜面部の光の反射率が、キャビティプレート３のシリコン（１１１）面の光の反射率より高ければよいので、その他の金属薄膜を設けてもよい。
【０１１８】
このようにすれば、キャビティプレート３の圧力室６の斜面部の光の反射率がより向上するので、液滴吐出ヘッド１のノズル２１内及びノズル２１近傍の異物の有無を容易に検出することができる。とともに、反射膜３００は、膜の材料を任意に選択することができるので、より安価な材料を選択することが可能になり、このことによって、よりコストの低い液滴吐出ヘッド１を提供することができる。
【０１１９】
（変形例３）
また、第２実施形態で、反射膜３００は、約１００ナノメートルの厚さで形成されていたが、本発明はこれにこだわるものではない。例えば、反射膜３００の膜厚が１００ナノメートル以下でも、また逆に、以上であってもよい。つまり、キャビティプレート３の圧力室６の斜面部に設けられた反射膜３００の光の反射率が、キャビティプレート３のシリコン（１１１）面の光の反射率より高ければよいので、反射膜３００の厚さにこだわらなくてもよい。
【０１２０】
このようにすれば、キャビティプレート３の圧力室６の斜面部に設けられた反射膜３００の膜厚の変動（バラツキ）を気にすることがなくなるので、キャビティプレート３の圧力室６の斜面部に反射膜３００を設けるための薄膜形成工程における品質管理が容易になる。よって、よりコストの低い液滴吐出ヘッド１を提供することができる。
【０１２１】
（変形例４）
また、第３実施形態で、ノズル２１内及びノズル２１近傍の異物の有無の検査と除去とを目的に光源２０３にレーザー光を用いたが、本発明はこれにこだわるものではない。例えば、ノズル２１内の異物が除去できるのであれば、酸、アルカリ溶液などを採用して、あらかじめノズル２１内及びノズル２１近傍の異物を除去してから、異物の有無の検査をしてもよい。
【０１２２】
このようにすれば、液滴吐出ヘッド１のノズル２１内及びノズル２１近傍の異物の有無の検査を行なう前に、液滴吐出ヘッド１を酸、アルカリなどの溶液に浸漬することによって、あらかじめノズル２１内の異物を除去することができるので、第３実施形態と同様な効果が得られる。
【図面の簡単な説明】
【０１２３】
【図１】第１実施形態のインク供給路接続ユニットを含む液滴吐出ヘッドの断面図。
【図２】インク供給路接続ユニットをノズル方向から見た平面図。
【図３】検査装置の構成を示す概略図。
【図４】検査工程を示すフローチャート。
【図５】液滴吐出ヘッドの断面図。
【図６】液滴吐出ヘッドを搭載した液滴吐出装置。
【図７】第２実施形態の液滴吐出ヘッドの一部を示す断面図。
【図８】第３実施形態の液滴吐出ヘッドの一部を示す断面図。
【符号の説明】
【０１２４】
１…液滴吐出ヘッド、３…キャビティプレート、４…ノズルプレート、６…圧力室、２１…ノズル、１００…液滴吐出装置、２０２…ＭＳ、２０３…光源、２０４…角度調整部、２０５…ＣＣＤカメラ、２０６…Ｘアクチュエータ、２０７…Ｘステージ、２０８…Ｙアクチュエータ、２０９…Ｙステージ、２１０…Ｚアクチュエータ、２１１…Ｚステージ、２１２…表示部、２１４…ＰＣ、２１５…画像認識処理部、２１６…良否判定部、２５０…検査装置、３００…反射膜。
【図１】
2005225186.tif 000003
【図２】
2005225186.tif 000004
【図３】
2005225186.tif 000005
【図４】
2005225186.tif 000006
【図５】
2005225186.tif 000007
【図６】
2005225186.tif 000008
【図７】
2005225186.tif 000009
【図８】
2005225186.tif 000010